(57)【要約】【課題】歯ブラシの殺菌効果を向上させ、安価な維持費で、長時間殺菌効果を維持することのできる歯ブラシホルダーを提供する。【解決手段】歯ブラシホルダーケース１は内部に、複数本の筒状の挿嵌部７を有している。またブラシ部分に紫外線を照射する紫外線ランプ１１と、外気を取り込んで送る送風ファン３を有している。駆動制御装置２によって紫外線ランプ１１と送風ファン３が長時間に渡って間欠的に駆動し、紫外線と風によってブラシ部分の殺菌を行い、菌の増殖を抑える。【選択図】図１
0003124694.tif 000002
【実用新案登録請求の範囲】
【請求項１】
ホルダーケース内には、筒状の複数個の歯ブラシ挿嵌部が設けられ、
歯ブラシのブラシ部分に向かって紫外線を放つ紫外線ランプと、
外気を取り込んで送る送風ファンを配してあり、
駆動制御装置の制御によって、紫外線ランプの点灯・消灯及び送風ファンの駆動・停止を行うことを特徴とする殺菌機能を備えた歯ブラシホルダー。
【請求項２】
紫外線を放つ殺菌ランプは、駆動制御装置によって間欠的に自動的に起動して一定時間点灯した後、消灯することを特徴する請求項１記載の殺菌機能を備えた歯ブラシホルダー。
【請求項３】
外気を取り込んで送る送風ファンは、駆動制御装置によって間欠的に自動的に起動して一定時間駆動した後、停止することを特徴とする請求項１記載の殺菌機能を備えた歯ブラシホルダー。
【請求項４】
ホルダーケース下部には、排水口が開口しており、その下には水受けトレイが着脱可能に取付けられていることを特徴とする請求項１記載の殺菌機能を備えた歯ブラシホルダー。
【考案の詳細な説明】
【技術分野】
【０００１】
本考案は、歯ブラシを整頓して収納できる歯ブラシホルダーに関するものであり、特に歯ブラシを清潔に保つために殺菌機能を備えた歯ブラシホルダーに関するものである。
【背景技術】
【０００２】
家族が複数人いる場合、各人の歯ブラシはまとめて洗面所などのカップの中などに入れて立てかけ、使用するときに各人が取り出して使用するのが一般的に行われている使用形態である。つまり、歯ブラシは水洗いしただけで、他の人の歯ブラシと一緒にまとめられているのである。歯ブラシを水洗浄しただけでは、毛先に移しついた歯や歯茎の汚れが充分落としきれなくて、その毛先が別の人の歯ブラシと接触して移しついてしまうということもあった。
【０００３】
前記したように水洗浄しただけでは、歯ブラシに付着した汚れなどは充分に落とし切れなくて、これを長時間放置した場合、その汚れを栄養分として雑菌が繁殖し、ブラシが不潔きわまりない状態となることがあった。
【０００４】
これら使用後の歯ブラシの汚れや雑菌の繁殖を抑え、清潔に保とうという歯ブラシホルダーが開発されている。特開平７−１６１６３号公報に記載された発明は、歯ブラシをオゾン触媒で殺菌するホルダーである。実開平６−３６４７６号公報に記載された考案は、歯ブラシに風を当て、乾燥させて清潔に保とうというものである。
【０００５】
オゾンを殺菌に使用する場合は、オゾンの発生装置とオゾンの分解触媒機のふたつが必要で、ケース内にそれらを収納すると、ホルダーが大きく重くなって、設置する場所の確保や運搬が面倒である。また風だけを当てて乾燥させる方法であると、雑菌を死滅させる効果が充分でないという課題があった。
【０００６】
また、殺菌効果を長時間持続させるために、オゾンを送ったり、送風を連続的に行うような方法であると、そのためのエネルギーが必要で、運転コストが高くなってしまうという課題がある。
【特許文献１】特開平７−１６１６３号公報
【特許文献２】実開平６−３６４７６号公報
【考案の開示】
【考案が解決しようとする課題】
【０００７】
解決しようとする課題は、歯ブラシを殺菌する効果が不十分であり、またそれを長時間維持しようとすると、運転コストが高くなってしまうことである。
【課題を解決するための手段】
【０００８】
上記の課題を解決するために、本考案の歯ブラシホルダーは、ホルダーケース内には、筒状の複数個の歯ブラシ挿嵌部が設けられ、歯ブラシのブラシ部分に向かって紫外線を放つ紫外線ランプと、外気を取り込んで送る送風ファンを配してあり、駆動制御装置の制御によって、紫外線ランプの点灯・消灯及び送付ファンの駆動・停止を行うことを特徴とするものである。
【考案の効果】
【０００９】
本考案は、以上の課題を解決して、以下の効果を得ることができる。
<イ>ブラシ部分に紫外線を当てることにより殺菌し、送風によって歯ブラシを乾燥させることにより、殺菌と菌増殖を抑える効果を得ることができ、より清潔に保つことが可能となる。
<ロ>紫外線と送風は、間欠的に自動的に点灯・駆動するため、長時間殺菌効果を維持するとともに、エネルギーを省力化することができる。
<ハ>ホルダーは、複数個の歯ブラシ挿嵌部が設けてあり、複数本の歯ブラシを別個に立てることができ、ブラシ部分同士が接触することなく、ブラシの汚れが、他のブラシに付着することがない。
<ニ>本考案では紫外線ランプを使用するだけであって、オゾンを使用する場合に比較してランプだけという簡単な構成であって、歯ブラシホルダーが小さく軽く、そして安価に製造できる。
<ホ>紫外線も風も、ブラシ部分に向かって照射、送風が行われるため、無駄なく効果的に、殺菌も菌の増殖を抑える効果も得ることができる。
<ヘ>ホルダーケース下部に排水口と着脱式の水受けトレイが設けられているため、下部に溜まった水を適宜排水でき、ケース内の湿度を低くして菌の繁殖をより抑えることができる。
【考案を実施するための最良の形態】
【００１０】
以下、図に示す考案の最良の形態に基づき、この考案を詳細に説明する。
<１>ホルダーケース
図１において１は、ホルダーケース本体であって、このホルダーケース本体１の中には、駆動制御装置２と、その上に送風用のファン３が取付けられている。送風ファン３の背後には、スリット４が形成され、外の空気を取り込み可能となっている。駆動装置２の上面には、電源接続用コンセント１０を有しており、このコンセント１０に、下方に突出したピン１２を差込んで、上下に細長い紫外線ランプ１１が立設されている。図において５は開閉可能な透明で内側が目視可能な蓋である。このホルダーケース本体１に、歯ブラシ立設部６が挿入可能となっている。歯ブラシ立設部６は、下方へ伸びる複数個の筒状の挿嵌部７を有している。歯ブラシ立設部６は、挿嵌部７とは反対に上方に起立するファンカバー部８を有しており、ファンカバー部８には下方に貫通するランプ配置部１３と、スリット９が開口している。ホルダーケース本体１の中に、この歯ブラシ立設部６を挿入したとき、ファン３は、紫外線ランプ１１とスリット９と同じ高さになる。また紫外線ランプ１１は、ランプ配置部１３内に下の方から挿嵌され、ファン３と同じ高さに位置している。ホルダーケース１前面にあるのは、紫外線ランプ１１の点灯と送風ファン３の駆動を表示するLED２１である。
【００１１】
<２>その他の付属部材
図１において、１４は歯ブラシホルダー１の下部に着脱自在に取付け可能な水受けトレイである。この水受けトレイ１４の直上には、ホルダー本体１の底面に、排水口１５が開口している。１９は歯磨き受けであって、ホルダー本体１側面に着脱可能となっている。１６は駆動制御装置２へ電気を取り込むための接続アダプタである。１７は壁掛けパネルであって、この壁掛けパネル１７をビスによって壁に取付け、これにホルダー本体の背面にある孔に鉤状突片１８を引っ掛けて、ホルダー本体１を壁に固定できる。
【００１２】
<３>駆動制御装置
図３は、制御装置の構成を示すブロック図であって、Ａは電磁波発生を防止するＥＭＩ処理部、Ｂは入力電圧を整流してスイッチング発振部に供給する整流部、Ｃはスイッチング発振部、Ｄはランプ点灯部、１１は紫外線ランプをそれぞれ示す。又、ＦはＣＰＵの電源を供給するＣＰＵ電源部、Ｇは前記スイッチグング発振部を連動して動作させ回路を制御するＣＰＵ、Ｈは動作表示部をそれぞれ示す。Ｉはファン用のスイッチング発振部、Ｊはファン駆動部、３はファンをそれぞれ示す。
【００１３】
<４>ランプの点灯とファンの駆動
接続アダプタ１６を使用して駆動制御装置２に電気が送られると、ＥＭＩ処理部Ａに供給される。ＥＭＩ処理部Ａでは、入力電源から発生する電磁波を除去して、ラインフィルタ（図示せず）を通じて整流部Ｂに電気を送る。整流部Ｂは、入力電圧を整流し、紫外線ランプ１１を点灯させるために、スイッチング発振部Ｃに安定した電圧を供給する。スイッチング発振部Ｃは、前記整流部Ｂから提供された入力電圧と後述のＣＰＵＧの制御に連動して紫外線ランプ１１を点灯するための発振を実行する。このスイッチング発振部Ｃから発振電圧を受けて紫外線ランプＥを点灯するか又は消灯する。又、前記ＥＭＩ処理部Ａで電圧電流制限用キャパシタ（図示せず）を通じてＣＰＵ電源部Ｆに電気を供給する。ＣＰＵ電源部Ｆは、ＣＰＵを駆動させることができる所定の電圧を発生する。ＣＰＵＧは、内臓された発振器を通じて、所定の信号を制御して前記スイッチング発振部Ｃに提供する。同じく、ファン駆動用のスイッチング発振部Ｉは、ＣＰＵＧの制御に連動してファン駆動の電圧を発振する。これによりファン駆動部Ｊが、ファン３を始動させるか、停止させる。
【００１４】
<５>殺菌と乾燥
歯ブラシ２０を使用後、蓋５を開け、ブラシを上にして歯ブラシホルダー本体１の中の挿嵌部７に差し込む。このとき歯ブラシ２０のブラシ部分が、紫外線ランプ１１とファン３の高さに位置するまで差し込む。蓋５を閉めると、これによってスイッチがオンとなり、ＣＰＵＧは、スイッチング発振部Ｃ及びＩに紫外線ランプ１１とファン３を駆動するよう制御する。紫外線ランプ１１の点灯時と送風ファン３の駆動時は、ケース前面のＬＥＤ２１が点灯する。本考案では、その後も、長時間に渡って、間欠的に殺菌が行われる。ここで間欠的というのは、駆動・停止後、一定時間をおいて、再び駆動・停止することを言う。紫外線ランプ１１は、蓋５を閉めてから１０分間点灯してブラシ部分を紫外線照射し、ファン３は２時間駆動してブラシ部分に風を送って乾燥作動する。その後ＣＰＵＧから３時間おきに５分づつ紫外線ランプ１１が点灯するよう信号を送る。また、ファン３には、３時間おきに始動して、３０分づつ駆動して停止するよう信号を送る。これら紫外線の照射と送風によってより効果的な殺菌が実行され、またその後間欠的に、長時間に渡って紫外線照射と送風を繰返し、菌の増殖を抑えることができる。
【産業上の利用可能性】
【００１５】
本考案の殺菌機能とその駆動制御手順は、歯ブラシだけではなく、殺菌・乾燥が有効なヘアブラシや櫛などのホルダーにも利用可能である。
【図面の簡単な説明】
【００１６】
【図１】歯ブラシホルダーの分解斜視図である。
【図２】歯ブラシホルダーの断面図である。
【図３】駆動制御装置の構成を示すブロック図である。  １：歯ブラシホルダー本体  ２：駆動制御装置  ３：ファン  ４：スリット  ５：蓋  ６：歯ブラシ立設部  ７：挿嵌部  ８：ファンカバー  ９：スリット  １０：電源接続用コンセント  １１：紫外線ランプ  １２：ピン  １３：ランプ配置部  １４：水受けトレイ  １５：排水口  １６：接続アダプタ  １７：壁掛けパネル  １８：鉤状突片  １９：歯磨き受け  ２０：歯ブラシ
【図１】
0003124694.tif 000003
【図２】
0003124694.tif 000004
【図３】
0003124694.tif 000005